(57)【特許請求の範囲】
【請求項１】
人の胸を覆う胸覆い部と、該胸覆い部の下に延設された胴体覆い部と、該胸覆い部の上部を首に掛けるための首掛け紐部と、該胴体覆い部を人の胴体に装着するための胴結び紐部とを備えた作業用エプロンにおいて、
該胸覆い部と該胴体覆い部からなるエプロン本体は、表面が網状の基布から構成され、該エプロン本体の裏面が該基布の裏面に防湿耐水性フィルム層をラミネートして構成され、
該基布には、吸水性を有したメッシュ布の表面に起毛面が形成され、
該胸覆い部の両側縁部、該胴体覆い部の両側縁部及び下側縁部に、４重に折り返されて縫着された４重折り縁部が該基布の表面に突出して設けられたことを特徴とする作業用エプロン。
【請求項２】
前記胸覆い部の両側縁部、該胴体覆い部の両側縁部及び下側縁部の表面及び裏面が各々エプロンの表面として使用可能な外観に形成されるとともに、前記首掛け紐部と前記胴結び紐部の基部が該胸覆い部または該胴体覆い部の前記４重折り縁部の内側に挿入した状態で縫着され、該首掛け紐部及び該胴結び紐部の基部の表裏がエプロンの表面として使用可能な外観に形成されたことを特徴とする請求項１記載の作業用エプロン。
【請求項３】
前記基布は、ポリエステル繊維を網状に紡織したメッシュ状のポリエステル繊維製網状織布からなり、該ポリエステル繊維製網状織布の表面に起毛面が形成されたことを特徴とする請求項１記載の作業用エプロン。
【請求項４】
前記防湿耐水性フィルム層は、無軸延伸ポリプロピレンフィルムのラミネートコーティング膜から形成されたことを特徴とする請求項１記載の作業用エプロン。
【発明の詳細な説明】
【技術分野】
【０００１】
本発明は、主に給食などを調理する調理室で作業する際のエプロンとして好適な作業用エプロンに関する。
【背景技術】
【０００２】
例えば、給食などを調理する厨房調理室は、従来、床を水で洗浄するため、常に床が濡れた状態で作業を行っていたが、近年、衛生上の観点から、床をできるだけ濡らさない方式に変わりつつあり、調理室で作業を行なう作業者は、エプロンなどの着衣についても、できるだけ乾いた状態で作業を行なうようになりつつある。
【０００３】
しかしながら、食器や調理器具などを洗う場合、周囲に水が飛びはねる場合が多く、作業者が着用するエプロンには、飛びはねた水がかかりやすい。
【０００４】
そこで、調理室などで使用される作業用エプロンは、通常、下記特許文献１に記載されるように、表が撥水性の防水膜で被覆され、表面に付着した水滴は内側に浸透せず、作業者の衣服が濡れないようになっている。
【先行技術文献】
【特許文献】
【０００５】
【特許文献１】特開２０００−３２８３２７号公報
【発明の概要】
【発明が解決しようとする課題】
【０００６】
然るに、食器や調理器具などを作業者が洗う際、水が飛びはねて、飛びはねた水が作業者のエプロンにかかった場合、水滴が表面の撥水性防水膜を滑って、床に落下し、床を濡らしていた。
【０００７】
このため、調理室などでは、濡れた床を常にモップなどで拭き掃除する必要があり、飛びはねた水滴がエプロンに付着した場合であっても、水滴が床に落下して床を濡らすことがなく、乾いた環境の調理室などで良好に着用することができる作業用エプロンが要望されていた。
【０００８】
本発明は、上述の点にかんがみなされたもので、飛びはねた水滴がエプロンに付着した場合であっても、水滴が床に落下することがなく、乾いた環境の調理室などで、良好に使用可能な作業用エプロンを提供することを目的とする。
【課題を解決するための手段】
【０００９】
本発明に係る作業用エプロンは、人の胸を覆う胸覆い部と、該胸覆い部の下に延設された胴体覆い部と、該胸覆い部の上部を首に掛けるための首掛け紐部と、該胴体覆い部を人の胴体に装着するための胴結び紐部とを備えた作業用エプロンにおいて、
該胸覆い部と該胴体覆い部からなるエプロン本体は、表面が網状の基布から構成され、該エプロン本体の裏面が該基布の裏面に防湿耐水性フィルム層をラミネートして構成され、
該基布には、吸水性を有したメッシュ布の表面に起毛面が形成され、
該胸覆い部の両側縁部、該胴体覆い部の両側縁部及び下側縁部に、４重に折り返されて縫着された４重折り縁部が該基布の表面に突出して設けられたことを特徴とする。
【００１０】
この発明によれば、作業者が作業用エプロンを着用して、調理室などにおいて洗浄などの水仕事をする際、エプロンの表面が吸水性を備えた基布で形成されるので、飛びはねた水滴がエプロンに付着した場合でも、水滴が基布に吸着され、且つ裏面の防湿耐水性フィルム層により水滴が内側まで浸入する不具合を防止することができる。
【００１１】
また、仮に多量の水滴が基布の表面に付着し、水滴が基布表面を伝って流れ落ちる場合でも、胸覆い部と胴体覆い部の４重折り縁部で水滴が止まり吸水されるため、エプロンに付着した水滴が床に落ちて床を濡らす不具合を防止することができる。
【００１２】
ここで、上記胸覆い部の両側縁部、該胴体覆い部の両側縁部及び下側縁部の表面及び裏面は、各々、エプロンの表面として使用可能な外観に形成されるとともに、前記首掛け紐部と前記胴結び紐部の基部は、該胸覆い部または該胴体覆い部の前記４重折り縁部の内側に挿入した状態で縫着され、該首掛け紐部及び該胴結び紐部の基部の表裏を、エプロンの表面として使用可能な外観に形成することが好ましい。これによれば、この作業用エプロンを、上記基布を表面とした通常使用の他に、上記防湿耐水性フィルム層を表面として、所謂リバーシブルの形態で、使用することができる。
【００１４】
またここで、上記基布は、ポリエステル繊維を網状に紡織したメッシュ状のポリエステル繊維製網状織布からなり、該ポリエステル繊維製網状織布の表面に起毛面を形成することが好ましい。これによれば、基布の吸水性をさらに向上させるとともに、基布水分の蒸発性を良くし速乾性を向上させることができる。
【００１５】
さらに、上記防湿耐水性フィルム層は、無軸延伸ポリプロピレンフィルムのラミネートコーティング膜から形成することが好ましい。これによれば、防湿耐水性フィルム層の引っ張り強度を高くして耐久性を保持しつつ、防湿耐水性フィルム層をより薄く形成することができ、洗濯などに伴う防湿耐水性フィルム層の破損や変形を防止するとともにエプロンの軽量化を図ることができる。
【発明の効果】
【００１６】
この発明によれば、飛びはねた水滴がエプロンに付着した場合であっても、水滴が床に落下することがなく、乾いた環境の調理室などで、良好にエプロンを使用することができる。
【図面の簡単な説明】
【００１７】
【図１】本発明の一実施形態を示す作業用エプロンの正面図である。
【図２】同作業用エプロンの背面図である。
【図３】エプロンの使用状態を示す正面図である。
【図４】４重折り縁部の断面説明図である。
【図５】基布と防湿耐水性フィルム層からなるエプロン本体の拡大断面説明図である。
【発明を実施するための形態】
【００１８】
以下、本発明の一実施形態を図面に基づいて説明する。作業用エプロンは、図１，２に示すように、概略的には、人の胸を覆う胸覆い部２と、胸覆い部２の下に延設された胴体覆い部３と、胸覆い部２の上部を首に掛けるための首掛け紐部１１，１２と、胴体覆い部３を人の胴体に装着するための胴結び紐部１３，１４とを備えて構成される。
【００１９】
首掛け紐部１１、１２は胸覆い部２の上部両側に、首に掛けるように上に突き出すように縫着される。一方の首掛け紐部１１は長尺帯状に形成され、他方の首掛け紐部１２はループ状に形成され、一方の首掛け紐部１１を他方の首掛け紐部１２に通して結ぶようになっている。胴結び紐部１３，１４はともに長尺帯状の紐部で、胴体覆い部３の上部両側に突き出すように縫着され、人の胴体の後ろで結ぶようになっている。また、胸覆い部２の上部には補強布６が基布４の表面側に縫着され、首掛け紐部１１、１２の基部が縫着される部位を補強している。
【００２０】
胸覆い部２と胴体覆い部３からなるエプロン本体１は、吸水性を有する基布４の裏面に防湿耐水性フィルム層５をラミネートコーティングして構成される。つまり、エプロン本体１を構成する胸覆い部２と胴体覆い部３は、吸水性を有する基布４の裏面に防湿耐水性フィルム層５がラミネートコーティングされている。
【００２１】
基布４は、図５に示すように、例えばポリエステル繊維を網状に紡織したポリエステル繊維製網状織布からなり、網状の基布４の表面には、起毛した起毛面が形成され、起毛面を有するメッシュ状に形成される。このような基布４をエプロンに使用することにより、エプロンの表面となる基布４には、良好な吸水性が具備されるので、水を使用する洗浄作業などで、水滴がエプロン本体１の基布４に付着した場合でも、直ぐに吸水し、吸水した水分は、直ぐに蒸発する、良好な速乾性を発揮する。
【００２２】
なお、ポリエステル繊維製織布の基布４は、起毛面を有したメッシュ状のほかに、比較的吸水性と速乾性の良いポリエステルトリコット布を使用することもできる。また、ポリエステル繊維に綿を混紡した織布を使用することもできる。さらに、ポリエステル繊維製織布に代えて、基布４としてポリアミド繊維製織布を使用することもできる。
【００２３】
一方、基布４の裏面には、防湿耐水性フィルム層５がラミネートコーティングされる。防湿耐水性フィルム層５は、ここでは、無軸延伸ポリプロピレンフィルム（ＣＰＰフィルム）の薄いラミネートコーティング膜から形成される。無軸延伸ポリプロピレンフィルムの防湿耐水性フィルム層５は、優れた引っ張り強度、耐久性、軽量性を有し、洗濯時などの防湿耐水性フィルム層５の変形や破損を防止するとともに、エプロンの軽量化を図っている。また、エプロン本体１の表面を構成する基布４の裏面に防湿耐水性フィルム層５をラミネートコーティングすることにより、表面に基布４に多量の水滴が付着して場合でも、エプロン本体１の内側に水が浸透しないようになっている。
【００２４】
また、無軸延伸ポリプロピレンフィルムの防湿耐水性フィルム層５は、各種の試作実験を行なった結果、その厚さを約２０〜４０μｍ（より好ましくは約３０μｍ程度）とすることが好ましく、エプロンの基布の裏面にこのようなフィルム層をコーティングすることにより、良好な防湿耐水性、耐久性、着用感を得ることが判明している。従来、エプロンの防水コーティング層として、例えば、ポリウレタン樹脂のフィルム層を基布の表面にラミネートコーティングしたものが使用されていたが、ポリウレタン樹脂のフィルム層は、作業用エプロンには柔らかすぎて形状保持性に問題があり、洗濯を繰り返した場合の劣化も大きく、耐久性に課題がある。
【００２５】
然るに、無軸延伸ポリプロピレンフィルムの防湿耐水性フィルム層５の厚さを、約２０〜４０μｍとして基布４にラミネートコーティングした場合、エプロン本体１には適度な形状保持性が付与され、且つ良好な引っ張り強度と耐久性により、エプロンを繰り返し洗濯した場合でも、防湿耐水性の劣化を少なくすることができる。また、無軸延伸ポリプロピレンフィルムの防湿耐水性フィルム層５は良好な防湿性と耐水性を発揮し、エプロンの表面に水滴が付着した場合でも、内側に浸透することはない。
【００２６】
このように、防湿耐水性フィルム層５として無軸延伸ポリプロピレンフィルムのラミネートフィルム層が基布４の裏面にコーティングされることにより、エプロンの基布４に良好な引っ張り強度、防湿性、耐水性、耐久性を持たせることができ、且つ作業用エプロンのエプロン本体１に、良好な形状保持性を持たせることができる。つまり、エプロンを薄く軽量化しても、十分な強度を保持することができ、良好な耐久性を確保することができる。
【００２７】
さらに、図１，２に示すように、エプロン本体１の周縁部を構成する胸覆い部２の両側縁部、胴体覆い部３の両側縁部及び下側縁部には、４重に折り返されて縫着された４重折り縁部１５〜１９が基布４の表面に突出するように設けられる。つまり、エプロン本体１の胸覆い部２の左側縁部には、４重に折り返されて縫着された４重折り縁部１５が基布４の表面に突出して設けられ、胸覆い部２の右側縁部には、４重に折り返されて縫着された４重折り縁部１６が基布４の表面に突出して設けられる。さらに、胴体覆い部３の右側縁部には、４重に折り返されて縫着された４重折り縁部１７が基布４の表面に突出して設けられ、胴体覆い部３の左側縁部には、同様に、４重に折り返されて縫着された４重折り縁部１８が基布４の表面に突出して設けられる。さらに、胴体覆い部３の下側縁部には、同様に、４重に折り返されて縫着された４重折り縁部１９が基布４の表面に突出して設けられる。
【００２８】
これらの４重折り縁部１５〜１９は、図４に示すように、先ず、エプロン本体１の縁部の裁断縁を内側に入れるように、防湿耐水性フィルム層５の側つまり裏面側に３重に折り曲げて、その内側端部を第１ステッチ２１により縫い合わせて、３重折り部を作る。次に、その３重折り部を基布４側つまり表面側に折り曲げ、その内側端部を、本縫いとなる第２ステッチ２２により縫い合わせ、４重折り縁部１５〜１９が表面側に突出するように作られる。これにより、図１に示すように、エプロン本体１の表面の周縁端部には、表面に突き出すように、４重折り縁部１５〜１９が形成され、エプロン本体１の基布４の周縁部が４重折り縁部１５〜１９で囲まれることとなる。このため、エプロンの使用中に、エプロン本体１の表面の基布４に多量の水滴が付着し、その水滴が基布４の表面に吸水できずに流れ落ちたとしても、水滴は４重折り縁部１９などで吸収され、床に落ちることはない。
【００２９】
ところで、上記構成の作業用エプロンは、所謂リバーシブルの形態で、使用することができるように形成されている。すなわち、胸覆い部２の両側縁部（４重折り縁部１５，１６）、胴体覆い部３の両側縁部（４重折り縁部１７，１８）及び下側縁部（４重折り縁部１９）の表面及び裏面は、各々、エプロンの表面として使用可能な外観に形成される。
【００３０】
さらに、首掛け紐部１１、１２と胴結び紐部１３，１４の基部は、胸覆い部２または胴体覆い部３の４重折り縁部１５〜１９の内側に挿入した状態で縫着され、首掛け紐部１１，１２及び胴結び紐部１３，１４の基部の表裏を、エプロンの表面として使用可能な外観に形成される。このような構成により、作業用エプロンを、上記のような、基布４を表面とした通常使用の他に、防湿耐水性フィルム層５を表面として、リバーシブルの形態で着用することができるようになっている。したがって、エプロンを使用する環境が、上述のように床を濡らさない環境で使用する場合、基布４を表面として通常使用とし、床を水で洗い流すような調理室の環境で使用する場合、防湿耐水性フィルム層５を表面として使用することができ、リバーシブルのエプロンを構成している。
【００３１】
上記構成の作業用エプロンは、例えば給食などを調理する調理室、或いは食品の加工工場などにおいて、主に床を濡らさない環境の場所で、各種の水洗いなどの際に使用される。作業用エプロンは、通常、図３に示すように、基布４を表面とした形態で着用される。作業用エプロンの着用は、首掛け紐部１１をループ状の首掛け紐部１２に通して結び、胴結び紐部１３と１４を着用者の胴の後で結んで着用する。
【００３２】
水を扱う現場での使用のため、作業用エプロンのエプロン本体１の表面には、飛び跳ねた水滴が付着する場合がある。このような場合、飛びはねた水滴がエプロン本体１の表面に付着するが、水滴は基布４の表面に良好に吸着・吸水され、床に落ちることはない。また、基布４の裏面に防湿耐水性フィルム層５がコーティングされているので、水滴が内側まで浸入せず、使用者の衣服を濡らすことは防止される。
【００３３】
また、仮に多量の水滴が基布４の表面に付着し、水滴が基布４の表面を伝って流れ落ちやすい場合でも、胴体覆い部３の下部に突出して設けられる４重折り縁部１９で水滴が止まり吸水されるため、エプロンに付着した水滴が床に落ちて床を濡らす不具合を防止することができる。
【００３４】
また、基布４が起毛面を有したメッシュ状に形成されるため、付着した水滴を良好に吸水することができ、且つ基布４の内部に吸収した水分は迅速に蒸発させることができる。
【００３５】
上述の如く、床を水で洗い流すような調理室の環境で使用するような場合、使用者は、防湿耐水性フィルム層５を表面とし、基布４を裏面として、エプロンを着用する。この場合、防湿耐水性フィルム層５がエプロンの表面となるので、飛散した水滴が表面に付いたとしても、良好な撥水耐水性により、水滴はエプロンの表面に付着することなく落下する。また、エプロン本体１の防湿耐水性フィルム層５の内側は、起毛面を有したメッシュ状の基布４となっているため、使用者の肌が直接接触した場合でも、べとつくことなく快適に使用することができる。
【００３６】
このように、上記構成の作業用エプロンは、リバーシブルで使用することができ、飛びはねた水滴がエプロンに付着した場合であっても、乾いた環境の調理室、或いは湿った環境の部屋などで、使用する部屋の環境に合せて、良好にエプロンを使用することができる。
【符号の説明】
【００３７】
１      エプロン本体
２      胸覆い部
３      胴体覆い部
４      基布
５      防湿耐水性フィルム層
６      補強布
１１    首掛け紐部
１２    首掛け紐部
１３    胴結び紐部
１４    胴結び紐部
１５    ４重折り縁部
１６    ４重折り縁部
１７    ４重折り縁部
１８    ４重折り縁部
１９    ４重折り縁部
２１    第１ステッチ
２２    第２ステッチ
【図１】
0005991541.tif 000002
【図２】
0005991541.tif 000003
【図３】
0005991541.tif 000004
【図４】
0005991541.tif 000005
【図５】
0005991541.tif 000006